(57)【要約】【課題】魅力的なコンテンツ部品を多くの利用者で共有可能とし、所定の情報のみを記入すれば一定のデザイン概要に従ったＷｅｂページを容易に構築するコンテンツ統合提供システムを提供する。【解決手段】情報提供希望者端末１４０は、提供希望情報をコンテンツ統合提供サーバ１１０に送信する。コンテンツ統合提供サーバ１１０は、提供希望情報をＷｅｂ上で公開可能な提供情報に変換する。提供情報には関連情報（提供情報にどのアーティファクトが利用されるかを示す情報）が記述されている。コンテンツ統合提供サーバ１１０は、情報取得者端末１２０から公開情報の取得要求を受信すると、関連情報に基づいて提供情報とアーティファクトとを連繋して情報取得者端末１２０に送信する。【選択図】　　　　図１
2004102839.tif 000002
【特許請求の範囲】
【請求項１】
ネットワーク上に自身の情報の公開を希望する情報提供者により操作される情報提供者端末装置と、前記ネットワーク上の情報を取得する情報取得者により操作される情報取得者端末装置と、コンテンツを作成し、該作成したコンテンツを前記ネットワーク上に公開するコンテンツ統合提供サーバと、が前記ネットワークを介して相互接続されているコンテンツ統合提供システムであって、
前記コンテンツ統合提供サーバは、
前記情報提供者端末装置から受信した前記情報提供者が前記ネットワーク上で公開を希望する提供希望情報を、前記ネットワーク上で公開可能なデータ形式の提供情報に変換し、前記情報提供者端末装置から受信した情報に基づいて、自身に格納されているコンテンツ部品から該当するコンテンツ部品を抽出し、前記情報取得者端末装置に前記提供情報および前記抽出されたコンテンツ部品を送信することを特徴とするコンテンツ統合提供システム。
【請求項２】
ネットワーク上に自身の情報の公開を希望する情報提供者により操作される情報提供者端末装置と、前記ネットワーク上の情報を取得する情報取得者により操作される情報取得者端末装置と、コンテンツを作成し、該作成したコンテンツを前記ネットワーク上に公開するコンテンツ統合提供サーバと、が前記ネットワークを介して相互接続されているコンテンツ統合提供システムであって、
前記情報提供者端末装置は、
前記情報提供者が前記ネットワーク上に公開希望する提供希望情報を作成し、該作成した提供希望情報を前記コンテンツ統合提供サーバに送信する提供希望情報送信手段と、
前記ネットワーク上に公開されるコンテンツを構成する前記コンテンツ部品を指定する部品指定情報を前記コンテンツ統合提供サーバに送信する部品指定情報送信手段を有し、
前記コンテンツ統合提供サーバは、
前記情報提供者端末装置から、前記提供希望情報を受信し、格納する提供希望情報格納手段と、
前記コンテンツ部品を格納するコンテンツ部品格納手段と、
前記提供希望情報格納手段により格納された提供希望情報を前記ネットワーク上で公開可能なデータ形式の提供情報に変換するデータ変換手段と、
前記情報提供者端末装置から、前記部品指定情報を受信し、該受信した部品指定情報に基づいて、前記コンテンツ部品格納手段により格納されたコンテンツ部品から前記指定されたコンテンツ部品を抽出するコンテンツ部品抽出手段と、
前記情報取得者端末装置から前記提供情報の取得要求を受信すると、前記取得要求された提供情報と、前記取得情報に対応する前記抽出されたコンテンツ部品と、を前記情報取得者端末装置に送信する取得要求情報送信手段と、を有し、
前記情報取得者端末装置は、
前記取得要求情報送信手段により送信された提供情報およびコンテンツ部品を受信すると、該受信した提供情報およびコンテンツ部品を利用して前記コンテンツを構築し、表示するコンテンツ表示手段と、
を有することを特徴とするコンテンツ統合提供システム。
【請求項３】
前記情報提供者端末装置は、
前記提供希望情報のデータ変換形式を指定する変換指定情報を前記コンテンツ統合提供サーバに送信する変換指定情報送信手段を有し、
前記コンテンツ統合提供サーバは、
１つ以上の前記提供希望情報のデータ変換形式を示す変換形式情報を格納する変換形式情報格納手段を有し、
前記データ変換手段は、
前記変換指定情報を前記情報提供者端末装置から受信すると、前記１つ以上の変換形式情報から、前記受信した変換指定情報により指定されるデータ変換形式に対応する変換形式情報を抽出し、該抽出した変換形式情報に基づいて、前記提供希望情報のデータ形式の変換を行うことを特徴とする請求項２記載のコンテンツ統合提供システム。
【請求項４】
前記コンテンツ統合提供サーバは、
前記コンテンツ部品抽出手段により抽出されたコンテンツ部品の利用履歴を記録するコンテンツ部品履歴記録手段と、
前記取得要求情報送信手段により送信されたコンテンツ部品指示情報を受信すると、該受信したコンテンツ部品指示情報により指示されたコンテンツ部品に係る前記利用履歴を前記情報提供者端末装置に送信する履歴送信手段と、
を有することを特徴とする請求項２または３記載のコンテンツ統合提供システム。
【請求項５】
前記コンテンツ統合提供システムは、コンテンツ部品を作成するコンテンツ部品作成者により操作されるコンテンツ部品作成者端末装置を有し、
前記コンテンツ部品作成者端末装置は、
前記コンテンツ部品を作成し、該作成したコンテンツ部品を前記コンテンツ統合提供サーバに送信するコンテンツ部品送信手段を有し、
前記コンテンツ部品格納手段は、
前記コンテンツ部品送信手段により送信されたコンテンツ部品を受信し、格納することを特徴とする請求項２から４のいずれか１項に記載のコンテンツ統合提供システム。
【請求項６】
前記コンテンツ部品作成者端末装置は、
前記変換形式情報を作成する変換形式情報作成手段と、
前記変換形式情報作成手段により作成された変換形式情報を前記コンテンツ統合提供サーバに送信する変換形式情報送信手段と、を有し、
前記変換形式情報格納手段は、
前記変換形式情報送信手段により送信された変換形式情報を受信し、格納することを特徴とする請求項５記載のコンテンツ統合提供システム。
【請求項７】
前記コンテンツ統合提供サーバは、
前記コンテンツ情報受信時に、前記コンテンツ情報の利用条件を示す利用条件情報を前記コンテンツ部品作成者端末装置から受信し、格納する利用条件情報格納手段と、
前記コンテンツ情報抽出時に、前記抽出したコンテンツ部品の利用条件に基づいて、前記抽出したコンテンツ部品の利用の対価を導出する利用対価導出手段と、
前記利用対価導出手段により導出されたコンテンツ部品の利用の対価を、前記抽出したコンテンツを利用した前記情報提供者に請求する旨の請求情報を前記情報提供者端末装置に送信する利用対価請求手段と、
を有することを特徴とする請求項２から６のいずれか１項に記載のコンテンツ統合提供システム。
【請求項８】
前記コンテンツ統合提供サーバは、
前記コンテンツ部品格納手段により格納されているコンテンツ部品と同様および類似のコンテンツ部品を検索するコンテンツ部品検索手段と、
前記コンテンツ部品検索手段により前記同様および類似のコンテンツ部品が検出された場合、前記コンテンツ統合提供システムの管理者の端末装置に、前記同様および類似のコンテンツ部品が検出された旨の情報を送信する検索結果送信手段を有することを特徴とする請求項２から７のいずれか１項に記載のコンテンツ統合提供システム。
【発明の詳細な説明】
【０００１】
【発明の属する技術分野】
本発明は、コンテンツ統合提供システムに関し、特に、画像データ、データ形式変換プログラム、および情報の表示形式を示すデータなどのコンテンツ部品を共有し、利用者が望む高度なコンテンツを作成するコンテンツ統合提供システムに関する。
【０００２】
【従来の技術】
近年、インターネットの普及により自分でＷｅｂページを作成し、その作成したＷｅｂページをインターネット上で公開するユーザが増加している。このようなＷｅｂページ作成に関連する技術を公開するものとして、特開２０００−３３９２５１号公報が開示するところのデジタルコンテンツの自動編成システム及び自動編成されたデジタルコンテンツの記録された記録媒体（以下、特許文献１）があった。特許文献１では、サイトを構成するＨＴＭＬページのタイプおよび生成方法を指示し、その指示にしたがってデータベースから該当するデータを抽出し、定義されたデザインのテンプレートを基にしてデータを埋め込んでＨＴＭＬページを生成していた。
【０００３】
また、特開２００２−２４１３２号公報が開示するところのＷｅｂページ作成装置およびＷｅｂページ作成方法（以下、特許文献２）では、クライアント３による素材の配置条件に基づいて、Ｗｅｂページ上に素材を配置し、Ｗｅｂページを作成していた。
【０００４】
【特許文献１】
特開２０００−３３９２５１号公報
【特許文献２】
特開２００２−２４１３２号公報
【０００５】
【発明が解決しようとする課題】
近年、自分でＷｅｂページを作成し、Ｗｅｂ上に公開するユーザが増加しているものの、絵画、音楽、文筆などの従来からあるメディアで流通するデータ（以下コンテンツ）と同様に、Ｗｅｂで流通するコンテンツに関しても、魅力的なものを誰にでも作成できるわけではなく、魅力的なコンテンツを作成できる者は限られている。
【０００６】
他方で、デザインの能力があり、自己のデザインしたものをＷｅｂコンテンツとして広く利用してもらい、対価を得たい者や、利用者から感想を得たい者は、作成したＷｅｂコンテンツを流通させることが困難である場合があった。
【０００７】
例えば、多くのＷｅｂページ作成用ソフトウェアでは、Ｗｅｂページコンテンツの作成ツールだけでなく、Ｗｅｂページを飾るためのＷｅｂコンテンツ部品が提供されている。また、Ｗｅｂページを作成するための素材集も販売されている。
【０００８】
しかしながら、これらはデザイン物を販売する能力がある者だけがこのように流通させられるのであり、デザイン力はあっても流通手段を持たない一般のユーザや、そもそも商取引を目的とせず他人に提供した自作のデザイン物の使用の感想などを望むユーザにとっては、上記のようなコンテンツ部品を含む製品を作成することが困難である。
【０００９】
また、魅力的なＷｅｂページを構築する能力がある者であっても、所定の組織のＷｅｂページコンテンツなど、統一されたデザインを持たなければならない場合、そのデザインの統一性を維持するのは難しい。
【００１０】
また、特許文献１および特許文献２には、クライアント側が、Ｗｅｂ上で公開を希望する基本情報をサーバ側に提供する構成を有していなかった。
【００１１】
本発明は、上記問題点に鑑みてなされたものであり、魅力的なコンテンツ部品を多くの利用者で共有可能とし、所定の情報のみを記入すれば一定のデザイン概要に従ったＷｅｂページを容易に構築するコンテンツ統合提供システムを提供することを目的とする。
【００１２】
【課題を解決するための手段】
かかる目的を達成するため、請求項１記載の発明は、ネットワーク上に自身の情報の公開を希望する情報提供者により操作される情報提供者端末装置と、ネットワーク上の情報を取得する情報取得者により操作される情報取得者端末装置と、コンテンツを作成し、作成したコンテンツをネットワーク上に公開するコンテンツ統合提供サーバと、がネットワークを介して相互接続されているコンテンツ統合提供システムであって、コンテンツ統合提供サーバは、情報提供者端末装置から受信した情報提供者がネットワーク上で公開を希望する提供希望情報を、ネットワーク上で公開可能なデータ形式の提供情報に変換し、情報提供者端末装置から受信した情報に基づいて、自身に格納されているコンテンツ部品から当するコンテンツ部品を抽出し、情報取得者端末装置に提供情報および抽出されたコンテンツ部品を送信することを特徴とする。
【００１３】
また、請求項２記載の発明は、ネットワーク上に自身の情報の公開を希望する情報提供者により操作される情報提供者端末装置と、ネットワーク上の情報を取得する情報取得者により操作される情報取得者端末装置と、コンテンツを作成し、作成したコンテンツをネットワーク上に公開するコンテンツ統合提供サーバと、がネットワークを介して相互接続されているコンテンツ統合提供システムであって、情報提供者端末装置は、情報提供者がネットワーク上に公開希望する提供希望情報を作成し、作成した提供希望情報をコンテンツ統合提供サーバに送信する提供希望情報送信手段と、ネットワーク上に公開されるコンテンツを構成するコンテンツ部品を指定する部品指定情報をコンテンツ統合提供サーバに送信する部品指定情報送信手段を有し、コンテンツ統合提供サーバは、情報提供者端末装置から、提供希望情報を受信し、格納する提供希望情報格納手段と、コンテンツ部品を格納するコンテンツ部品格納手段と、提供希望情報格納手段により格納された提供希望情報をネットワーク上で公開可能なデータ形式の提供情報に変換するデータ変換手段と、情報提供者端末装置から、部品指定情報を受信し、受信した部品指定情報に基づいて、コンテンツ部品格納手段により格納されたコンテンツ部品から指定されたコンテンツ部品を抽出するコンテンツ部品抽出手段と、情報取得者端末装置から提供情報の取得要求を受信すると、取得要求された提供情報と、取得情報に対応する抽出されたコンテンツ部品と、を情報取得者端末装置に送信する取得要求情報送信手段と、を有し、情報取得者端末装置は、取得要求情報送信手段により送信された提供情報およびコンテンツ部品を受信すると、受信した提供情報およびコンテンツ部品を利用してコンテンツを構築し、表示するコンテンツ表示手段と、を有することを特徴とする。
【００１４】
また、請求項３記載の発明によれば、請求項２記載のコンテンツ統合提供システムにおいて、情報提供者端末装置は、提供希望情報のデータ変換形式を指定する変換指定情報をコンテンツ統合提供サーバに送信する変換指定情報送信手段を有し、コンテンツ統合提供サーバは、１つ以上の提供希望情報のデータ変換形式を示す変換形式情報を格納する変換形式情報格納手段を有し、データ変換手段は、変換指定情報を情報提供者端末装置から受信すると、１つ以上の変換形式情報から、受信した変換指定情報により指定されるデータ変換形式に対応する変換形式情報を抽出し、抽出した変換形式情報に基づいて、提供希望情報のデータ形式の変換を行うことを特徴とする。
【００１５】
また、請求項４記載の発明によれば、請求項２または３記載のコンテンツ統合提供システムにおいて、コンテンツ統合提供サーバは、コンテンツ部品抽出手段により抽出されたコンテンツ部品の利用履歴を記録するコンテンツ部品履歴記録手段と、取得要求情報送信手段により送信されたコンテンツ部品指示情報を受信すると、受信したコンテンツ部品指示情報により指示されたコンテンツ部品に係る利用履歴を情報提供者端末装置に送信する履歴送信手段と、を有することを特徴とする。
【００１６】
また、請求項５記載の発明によれば、請求項２から４のいずれか１項に記載のコンテンツ統合提供システムにおいて、コンテンツ統合提供システムは、コンテンツ部品を作成するコンテンツ部品作成者により操作されるコンテンツ部品作成者端末装置を有し、コンテンツ部品作成者端末装置は、コンテンツ部品を作成し、作成したコンテンツ部品をコンテンツ統合提供サーバに送信するコンテンツ部品送信手段を有し、コンテンツ部品格納手段は、コンテンツ部品送信手段により送信されたコンテンツ部品を受信し、格納することを特徴とする。
【００１７】
また、請求項６記載の発明によれば、請求項５記載のコンテンツ統合提供システムにおいて、コンテンツ部品作成者端末装置は、変換形式情報を作成する変換形式情報作成手段と、変換形式情報作成手段により作成された変換形式情報をコンテンツ統合提供サーバに送信する変換形式情報送信手段と、を有し、変換形式情報格納手段は、変換形式情報送信手段により送信された変換形式情報を受信し、格納することを特徴とする。
【００１８】
また、請求項７記載の発明によれば、請求項２から６のいずれか１項に記載のコンテンツ統合提供システムにおいて、コンテンツ統合提供サーバは、コンテンツ情報受信時に、コンテンツ情報の利用条件を示す利用条件情報をコンテンツ部品作成者端末装置から受信し、格納する利用条件情報格納手段と、コンテンツ情報抽出時に、抽出したコンテンツ部品の利用条件に基づいて、抽出したコンテンツ部品の利用の対価を導出する利用対価導出手段と、利用対価導出手段により導出されたコンテンツ部品の利用の対価を、抽出したコンテンツを利用した情報提供者に請求する旨の請求情報を情報提供者端末装置に送信する利用対価請求手段と、を有することを特徴とする。
【００１９】
また、請求項８記載の発明によれば、請求項２から７のいずれか１項に記載のコンテンツ統合提供システムにおいて、コンテンツ統合提供サーバは、コンテンツ部品格納手段により格納されているコンテンツ部品と同様および類似のコンテンツ部品を検索するコンテンツ部品検索手段と、コンテンツ部品検索手段により同様および類似のコンテンツ部品が検出された場合、コンテンツ統合提供システムの管理者の端末装置に、同様および類似のコンテンツ部品が検出された旨の情報を送信する検索結果送信手段を有することを特徴とする。
【００２０】
【発明の実施の形態】
本発明の一実施形態におけるコンテンツ統合提供システムは、魅力的なコンテンツ部品（以下、アーティファクトと呼ぶ）を多くの者が利用できるようにし、さらに必要な情報のみを記入すれば一定のデザイン概要に従ったＷｅｂページを構築できるようにしたものである。また、本実施形態におけるコンテンツ統合提供システムでは、アーティファクトを作成する者が対価を得たり、使用感想を得たりすることを可能としている。
【００２１】
なお、本実施形態では、アーティファクトとは、Ｗｅｂ上で公開されるコンテンツを構成するコンテンツ部品であって、例えば、画像、Ｗｅｂページのテンプレート、データ形式の変換プログラムなどである。
【００２２】
図１は、本発明の一実施形態におけるコンテンツ統合提供システムの構成を示す図である。以下、図１を用いて、本実施形態におけるコンテンツ統合提供システムの構成および動作について説明する。
【００２３】
本実施形態におけるコンテンツ統合提供システムは、システム運営・管理者端末１００と、コンテンツ統合提供サーバ１１０と、情報取得者端末１２０と、情報提供希望者端末１４０と、アーティファクト作成者端末１５０と、インターネット１３０と、を有する。
【００２４】
システム運営・管理者端末１００は、コンテンツ統合提供システムを運営・管理するシステム運営・管理者１００ａにより操作される情報処理装置である。
【００２５】
情報取得者端末１２０は、情報取得者１２０ａにより操作される情報処理装置である。情報取得者１２０ａは、情報提供希望者１４０ａのＷｅｂページを参照するコンテンツ統合提供システムの利用者である。
【００２６】
情報提供希望者端末１４０は、情報提供希望者１４０ａにより操作される情報処理装置である。情報提供希望者１４０ａは、Ｗｅｂ上で自己の情報を他者に提示したいと思っているコンテンツ統合提供システムの利用者である。
【００２７】
アーティファクト作成者端末１５０は、アーティファクト作成者１５０ａにより操作される情報処理装置である。アーティファクト作成者１５０ａは、アーティファクトを作成し、適当な条件で情報提供希望者１４０ａにアーティファクトの利用権を付与したいと考えるコンテンツ統合提供システムの利用者である。
【００２８】
インターネット１３０は、システム運営・管理者端末１００、コンテンツ統合提供サーバ１１０、情報取得者端末１２０、情報提供希望者端末１４０、およびアーティファクト作成者端末１５０を相互接続する通信網である。
【００２９】
コンテンツ統合提供サーバ１１０は、アーティファクト保管場所１１１、提供情報保管場所１１２、アーティファクト利用条件保管場所１１３、変換形式保管場所１１４、アーティファクト利用状況保管場所１１５、提供希望情報保管場所１１６、および利用者情報保管場所１１７などの各記録領域（記録装置）を有する。
【００３０】
コンテンツ統合提供システムの利用者の中で、少なくとも情報提供希望者１４０ａ、アーティファクト作成者１５０ａ、システム運営・管理者１００ａの個人情報は、利用者情報保管場所１１７に保管され、管理される。
【００３１】
利用者情報保管場所１１７に保管・管理される個人情報には、利用者一人一人にユニークに割り振られた利用者識別情報と、その利用者識別情報に対応する利用者名と、利用者認証用情報と、前記利用者の種別情報と、が含まれる。
【００３２】
コンテンツ統合提供サーバ１１０は、情報提供希望者１４０ａ、アーティファクト作成者１５０ａ、システム運営・管理者１００ａに相当する者がこのシステムで与えられた権限を行使する場合、その利用者が本人かどうかの認証を行う。なお、この認証処理は公知技術による物としてよい。また、コンテンツ統合提供サーバ１１０は、Ｗｅｂサーバとして動作する機能を有する。
【００３３】
図２は、本発明の一実施形態におけるコンテンツ統合提供システムによるＷｅｂコンテンツ提供処理を示す図である。以下、本実施形態におけるコンテンツ統合提供システムによるＷｅｂコンテンツの提供処理について説明する。
【００３４】
提供情報保管場所１１２は、情報提供希望者１４０ａがＷｅｂ上の公開を望むコンテンツである提供情報２１４を保持する。コンテンツ統合提供サーバ１１０は、情報取得者端末１２０からのｈｔｔｐによる提供情報２１４送信要求を受信すると、要求に応じて、その提供情報２１４を図２中の矢印２３２のように情報取得者端末１２０に送信する。
【００３５】
コンテンツ統合提供サーバ１１０は、魅力的なコンテンツ（アーティファクト２１２）を保管する機能を持つ。アーティファクト保管場所１１１は、アーティファクト２１２を保管する。コンテンツ統合提供サーバ１１０は、情報取得者端末１２０からのｈｔｔｐによるアーティファクト２１２送信要求を受信すると、その要求に応じて、アーティファクト２１２を図２中の矢印２３１のように情報取得者端末１２０に送信する。
【００３６】
本実施形態では、アーティファクト作成者１５０ａおよびシステム運営・管理者１００ａがアーティファクト２１２について著作権を保有しており、コンテンツ統合提供サーバ１１０は、その権利を行使することを補助する機能を持っている。この機能を実現するために、コンテンツ統合提供システムは、以下の処理を行う。アーティファクト作成者端末１５０（アーティファクト作成者１５０ａ）がアーティファクト２１２を作成し、情報提供希望者１４０ａに利用を許可する場合、アーティファクト作成者端末１５０は、作成したアーティファクト２１２およびアーティファクト２１２の利用条件を示す情報をコンテンツ統合提供サーバ１１０に送信する。コンテンツ統合提供サーバ１１０は、受信したアーティファクト２１２をアーティファクト保管場所１１１に登録・保管する（矢印２２３）。また、コンテンツ統合提供サーバ１１０は、受信したアーティファクト２１２の利用条件情報をアーティファクト利用条件保管場所１１３に保管する（矢印２２２）。
【００３７】
アーティファクト２１２の利用条件としては、例えば、「情報取得者１２０ａはＷｅｂページとしての表示のみ許す」、「個人用途で利用する以外の目的には利用できない」、「アーティファクト２１２を情報提供希望者１４０ａが利用する場合、利用した感想をアーティファクト作成者１５０ａへ回答しなければならない」、「情報提供希望者１４０ａがアーティファクト２１２をＷｅｂページ内に表示してコンテンツを作成する場合は一定の金額をアーティファクト作成者１５０ａに支払わなければならない」、などがある。
【００３８】
このようなアーティファクト２１２の利用条件をアーティファクト毎に設定するため、コンテンツ統合提供サーバ１１０は、Ｗｅｂでのアーティファクト受け取りページを持っている。コンテンツ統合提供サーバ１１０は、そのアーティファクト受け取りページにおいて、ＨＴＭＬのＩＮＰＵＴタグのｆｉｌｅタイプコントロール（＜ＩＮＰＵＴ　ｔｙｐｅ＝ｆｉｌｅ＞）を利用してアーティファクトを受け取るとともに、アーティファクトの利用条件をＩＮＰＵＴタグの他のコントロールでアーティファクト作成者端末１５０から受け取る。具体的には、コンテンツ統合提供サーバ１１０は、ラジオ・ボタンおよびチェックボックスで配布条件の選択、ｔｅｘｔでアーティファクト作成者名などの作成者を特定する情報を受け取る。
【００３９】
情報取得者１２０ａがアーティファクト作成者１５０ａに一定の料金を支払った後に、コンテンツ統合提供サーバ１１０は、情報取得者端末１２０が提供情報保管場所１１２内の提供情報２１４およびアーティファクト保管場所１１１内のアーティファクト２１２を取得することを許可するとしてもよい。その場合、利用者情報保管場所１１７または新たな保管場所は、情報取得者１２０ａの個人情報を保管する。コンテンツ統合提供サーバ１１０は、情報取得者端末１２０から情報取得を希望する旨の情報を受信すると、情報取得者１２０ａが料金支払い契約を締結した情報取得者か否かを認証し、認証に成功した者だけに情報を提供する。
【００４０】
上記のように情報取得者１２０ａを認証するために、利用者情報保管場所１１７は、情報取得者個人個人にユニークに割り振られた情報取得者識別情報と、それに対応する情報取得者名と、情報取得者認証用情報と、情報取得者契約履行情報とを有する。コンテンツ統合提供サーバ１１０は、利用者情報保管場所１１７に保管されたそれぞれの情報をキーにしてこの情報群の一つまたは複数を検索可能とする機能を有する。なお、本実施形態におけるコンテンツ統合提供システムは、公知技術のリレーショナルデータベースを採用し、上記の検索機能を実現するとしてもよい。
【００４１】
以上の構成および動作により、コンテンツ統合提供システムは、情報提供希望者１４０ａおよびアーティファクト作成者１５０ａが提供を希望する情報をＷｅｂシステムによって情報取得者１２０ａに提供することができる。
【００４２】
さらに、図２を利用して、情報提供希望者端末１４０が、アーティファクト２１２を用いて提供情報２１４を作成する処理について説明する。
【００４３】
情報提供希望者１４０ａは、情報提供希望者端末１４０を用いて提供希望情報２１９を作成し、提供希望情報保管場所１１６に自らの提供希望情報２１９を書き込むことができる。なお、コンテンツ統合提供サーバ１１０は、情報提供希望者端末１４０により提供情報保管場所１１２に提供情報を書き込むことを禁止している。
【００４４】
コンテンツ統合提供サーバ１１０は、提供希望情報保管場所１１６に提供希望情報２１９が保管されたことを認識すると、保管された提供希望情報２１９を取り出す。コンテンツ統合提供サーバ１１０は、取り出した提供希望情報２１９を、変換形式記述文書２１５に示されている変換規則に従い、自サーバ内の変換プログラム２１７を用いて、Ｗｅｂサーバが提供する一般的書式（提供情報２１４）に変換する。コンテンツ統合提供サーバ１１０は、提供情報２１４を提供情報保管場所１１２に保管する。
【００４５】
なお、変換形式記述文書２１５は、データ変換規則そのものを電子データ化したものであって、変換形式保管場所１１４に保管されている。この変換形式の定義にＸＳＬＴ（Ｅｘｔｅｎｓｉｂｌｅ　Ｍａｒｋｕｐ　Ｌａｎｇｕａｇｅ　Ｔｒａｎｓｆｏｒｍａｔｉｏｎｓ）を利用するとしてもよい。
【００４６】
また、本実施形態では、コンテンツ統合提供サーバ１１０は、この変換元文書（提供希望情報１１９）の形式としてＸＭＬ（Ｅｘｔｅｎｓｉｂｌｅ　Ｍａｒｋｕｐ　Ｌａｎｇｕａｇｅ）に準じた形式を利用し、その構造定義にはＤＴＤ（Ｄｏｃｕｍｅｎｔ　Ｔｙｐｅ　Ｄｅｆｉｎｉｔｉｏｎ）を使用する。
【００４７】
また、変換形式保管場所１１４は、様々な提供希望情報２１９の変換規則の変換形式記述文書２１５を複数種類保管する。コンテンツ統合提供サーバ１１０は、情報提供希望者端末１４０から受信した提供希望情報２１９の書式に応じて、該当する変換形式記述文書２１５を選択し、その選択した変換形式記述文書２１５の変換規則にしたがって提供希望情報２１９を提供情報２１４に変換する。
【００４８】
情報提供希望者端末１４０は、提供希望情報保管場所１１６に提供希望情報２１９を登録する際、提供希望情報２１９の内部（提供希望情報２１９のデータ形式）、およびその提供希望情報２１９のデータ形式変換に利用する変換規則が何かという情報を指定しておく。コンテンツ統合提供サーバ１１０は、上記の変換規則を示す情報から適する変換形式記述文書２１５を選択し、選択した変換形式記述文書２１５と提供希望情報２１９とから提供情報２１４を導出し、提供情報保管場所１１２に保管する。
【００４９】
なお、提供希望情報保管場所１１６は、コンテンツ統合提供サーバ１１０が有するものであるが、提供希望情報保管場所を情報提供希望者端末１４０上に設置することも可能とする。この場合、図中破線枠２５２で示した部分が、情報提供希望者端末１４０が管理する範囲となる。
【００５０】
提供希望情報保管場所が情報提供希望者端末１４０上に設置された場合、情報提供希望者１４０ａの手許にある提供希望情報保管場所に提供希望情報２１９が保管される。情報提供希望者端末１４０は、コンテンツ統合提供サーバ１１０に対して提供希望情報２１９の変換および公開を依頼する旨の情報を送信すると、コンテンツ統合提供サーバ１１０は、提供希望情報２１９をＷｅｂサーバで提供する提供情報２１４の形式に変換し、コンテンツ統合提供サーバ１１０内部の提供情報保管場所１１２に保管する。
【００５１】
上記のような提供希望情報２１９の送受信、変換、および格納の一連の処理は、例えばＦＴＰ（Ｆｉｌｅ　Ｔｒａｎｓｆｅｒ　Ｐｒｏｔｏｃｏｌ）を用いることにより実現可能である。その場合、コンテンツ統合提供サーバ１１０は、自サーバをＦＴＰサーバとして機能させるためのＦＴＰプログラムを格納しており、まず、そのＦＴＰプログラムを起動させて、情報提供希望者端末１４０から提供希望情報２１９を受信する。コンテンツ統合提供サーバ１１０は、提供希望情報２１９の受信をトリガとして、自サーバが格納する変換プログラム２１７および変換後の提供情報２１４を公開するプログラムを起動させて、ＦＴＰプログラムから、以降の変換および公開を行うプログラムに制御を渡し、変換および公開に係る処理を実行する。
【００５２】
情報提供希望者１４０ａは、コンテンツ統合提供サーバ１１０が指定する所定のテンプレートにしたがってＷｅｂページを作成する。情報提供希望者１４０ａが提供した提供希望情報２１９が、指定されたテンプレートに沿っていない場合、コンテンツ統合提供サーバ１１０は、変換形式記述文書２１５および変換プログラム２１７を用いて、提供希望情報２１９を、指定したテンプレートに沿った形の情報（提供情報２１４）に変換する。従って、情報提供希望者１４０ａは、サーバ側に指定されたテンプレートに沿った提供希望情報２１９の作成が困難である場合であっても、容易に指定されたテンプレートに沿った情報をコンテンツ統合提供サーバ１１０内に保管させることが可能となる。
【００５３】
また、アーティファクト作成者１５０ａが、コンテンツ統合提供サーバ１１０に、アーティファクト２１２として指定されたテンプレート部品を提供している場合、情報提供希望者１４０ａは、その提供されたテンプレート部品をコンテンツ統合提供サーバ１１０から取得し、利用することにより、指定されたテンプレートに沿ったＷｅｂページを容易に作成し、コンテンツ統合提供サーバ１１０に提供することが可能となる。
【００５４】
情報提供希望者端末１４０は、アーティファクト２１２を利用する場合、提供希望情報２１９内にアーティファクト２１２を利用する旨を記述し、コンテンツ統合提供サーバ１１０に送信する（矢印２５０）。コンテンツ統合提供サーバ１１０は、提供希望情報２１９内に記述されたアーティファクト２１２の指定情報に基づいて、所定の変換処理などを行う。また、情報取得者端末１２０から提供情報２１４の取得を要求されると、提供情報２１４とともに上記のアーティファクト２１２の指定情報により指定されたアーティファクト２１２も提供情報２１４に連携して情報取得者端末１２０に送信する。情報取得者端末１２０は、受信した提供情報２１４とアーティファクト２１２とを錬成して成果コンテンツとし、自身に設けられている画面上に表示する。
【００５５】
また、変換形式記述文書２１５そのものもアーティファクトの一種であり、アーティファクト作成者端末１５０は、アーティファクト２１２とともに変換形式記述文書２１５を作成し、サーバ側に登録するとしてもよい。その場合、情報提供希望者１４０ａは、アーティファクト２１２を利用してコンテンツ（Ｗｅｂページ）を作成できるだけでなく、アーティファクトを利用するという行為自体を容易にすることができる。情報提供希望者１４０ａは、変換形式保管場所１１４に保管されている様々な種類の変換形式記述文書２１５の中から任意のものを選択できるとする。
【００５６】
なお、アーティファクト２１２は、コンテンツを作成する能力のある者が作成した成果物であり、アーティファクト２１２を利用する際には料金の支払いが必要であるとしてもよい。
【００５７】
図３は、本発明の一実施形態におけるコンテンツ統合提供システムによるアーティファクト２１２の料金支払い処理を示す図である。以下、図３を用いて、本実施形態におけるアーティファクト２１２の料金支払い処理について説明する。
【００５８】
情報提供希望者１４０ａがアーティファクト２１２を利用する場合、そのアーティファクト作成者１５０ａが希望する利用条件に従わなければならない。
【００５９】
アーティファクト２１２の利用条件情報は、アーティファクト利用条件保管場所１１３に保管されている。アーティファクト利用条件保管場所１１３に保存される情報は、少なくとも、アーティファクトを特定する情報と、そのアーティファクトの利用条件情報と、そのアーティファクトを作成したアーティファクト作成者を示す情報とを含む。
【００６０】
また、アーティファクト利用状況保管場所１１５は、情報提供希望者１４０ａがアーティファクト２１２を利用した自己の情報（コンテンツ／Ｗｅｂページ）を公開している状況を示す情報が保管される。アーティファクト利用状況保管場所１１５には、利用されているアーティファクト２１２の識別情報、アーティファクト２１２を利用している情報提供希望者の識別情報と、アーティファクト２１２の利用期間を示す情報と、情報提供希望者がアーティファクト２１２の利用条件に記載された条件を履行したか否かを示す情報とを格納する。なお、コンテンツ統合提供サーバ１１０は、アーティファクト利用状況保管場所１１５に格納されている情報それぞれをキーにして、格納されている上記の情報群の一つまたは複数を検索可能にする機能を有している。また、この検索機能は、公知技術のリレーショナルデータベースを採用するとしてもよい。
【００６１】
また、コンテンツ統合提供サーバ１１０は、提供希望情報２１９登録時に、情報提供希望者端末１４０から利用希望するアーティファクト２１２を指定するアーティファクト指定情報を受信する。コンテンツ統合提供サーバ１１０は、アーティファクト指定情報を受信すると、その指定されたアーティファクト２１２の利用状況を示す情報を情報提供希望者端末１４０に送信する。情報提供希望者端末１４０は、その利用状況情報を受信すると、保持する。
【００６２】
例えば、情報提供希望者１４０ａが森をイメージした自分のプロフィールが示された情報（成果コンテンツ）を作成するとする。情報提供希望者端末１４０は、提供希望情報としてプロフィールに記載する情報３１９を作成し、コンテンツ統合提供サーバ１１０に送信する。コンテンツ統合提供サーバ１１０は、受信したプロフィールに記載する情報３１９を提供希望情報保管場所１１６に保存する。
【００６３】
プロフィールに記載する情報３１９は、下記のデータであるとする。
【００６４】
＜？ｘｍｌ　ｖｅｒｓｉｏｎ＝”１．０”　ｅｎｃｏｄｉｎｇ＝”Ｓｈｉｆｔ＿ＪＩＳ”　？＞
＜ｐｒｏｆｉｌｅ＞
＜ｎａｍｅ＞　ｘ川ｘ男＜／ｎａｍｅ＞
＜ａｇｅ＞２０＜／ａｇｅ＞
＜ｅｍａｉｌ＞ｘ＠ａｂｃｄｅｆ．ｃｏｍ＜／ｅｍａｉｌ＞
＜／ｐｒｏｆｉｌｅ＞
【００６５】
また、情報提供希望者端末１４０は、プロフィールに記載する情報３１９内またはそのプロフィールに記載する情報３１９と一対一対応した別情報に、どの変換形式（変換形式記述文書）を採用するかを示す情報を記述し、サーバ側に通知する。
【００６６】
コンテンツ統合提供サーバ１１０は、変換形式保管場所１１４にある変換形式記述文書の中から、情報提供希望者１４０ａ側から要求されたプロフィールに記載する情報３１９に対応した変換形式記述文書（森をイメージしたプロフィール変換書式３１７）を選択する。
【００６７】
コンテンツ統合提供サーバ１１０は、選択した森をイメージしたプロフィール変換書式３１７を用いて、プロフィールに記載する情報３１９の変換処理３１８を行う。
【００６８】
変換後のページ（森をイメージしたプロフィールページ３１５）には、情報提供希望者１４０ａが成果コンテンツに利用するアーティファクト保管場所１１１にあるアーティファクト（森の絵のアーティファクト３１２および森をイメージしたページ表示形式３１３）を指定する情報が含まれている。
【００６９】
次に、コンテンツ統合提供サーバ１１０は、変換後のページにより指定された情報に基づいて、森の絵のアーティファクト３１２、森をイメージしたページ表示形式３１３、および森をイメージしたプロフィールページ３１５を利用した成果コンテンツを作成する。
【００７０】
コンテンツ統合提供サーバ１１０は、以下に示すソースにより、森の絵のアーティファクト３１２と、森をイメージしたページ表示形式３１３と、森をイメージしたプロフィール変換書式３１７との３種類のアーティファクトを利用した変換処理を行う。
【００７１】
＜？ｘｍｌ　ｖｅｒｓｉｏｎ＝”１．０”　ｅｎｃｏｄｉｎｇ＝”Ｓｈｉｆｔ＿ＪＩＳ”？＞
＜？ｘｍｌ−ｓｔｙｌｅｓｈｅｅｔ　ｑｔｙｐｅ＝”ｔｅｘｔ／ｃｓｓ”　ｑｈｒｅｆ＝”Ｗｏｏｄｓ．ｃｓｓ”　？＞
＜ｈｔｍｌ　ｘｍｌｎｓ＝”ｈｔｔｐ：／／ｗｗｗ．ｗ３．ｏｒｇ／ＴＲ／ｘｈｔｍｌ１／ｓｔｒｉｃｔ”＞
＜ｈｅａｄ＞＜ｔｉｔｌｅ＞ｘ川ｘ男のプロフィール＜／ｔｉｔｌｅ＞＜／ｈｅａｄ＞
＜ｂｏｄｙ＞
＜ｈ１＞　ｘ川ｘ男のプロフィール＜／ｈ１＞
＜ｔａｂｌｅ　ｂｏｒｄｅｒ＝”１”＞＜ｔｂｏｄｙ＞
＜ｔｒ＞　＜ｔｄ＞氏名＜／ｔｄ＞＜ｔｄ＞　ｘ川ｘ男＜／ｔｄ＞＜／ｔｒ＞
＜ｔｒ＞　＜ｔｄ＞年齢＜／ｔｄ＞＜ｔｄ＞２０歳＜／ｔｄ＞＜／ｔｒ＞
＜ｔｒ＞　＜ｔｄ＞メールアドレス＜／ｔｄ＞＜ｔｄ＞ｘ＠ａｂｃｄｅｆ．ｃｏｍ＜／ｔｄ＞＜／ｔｒ＞
＜／ｔｂｏｄｙ＞　＜／ｔａｂｌｅ＞
＜ｉｍｇ　ｓｒｃ＝”ｗｏｏｄｓ．ｊｐｇ”　ａｌｔ＝”Ｗｏｏｄｓ”　／＞
＜／ｂｏｄｙ＞
＜／ｈｔｍｌ＞
【００７２】
本実施形態では、コンテンツ統合提供サーバ１１０は、ＸＳＬＴ文書（森をイメージしたプロフィール変換書式３１７）を用いて、最低限の情報の中に、ページに搭載するオブジェクトを追加し、最後にスタイルシート（森をイメージしたページ表示形式３１３）を用いて、表示形式を整形している。従って、コンテンツ統合提供サーバ１１０は、変換形式保管場所１１４に保管された情報を用いることにより、情報提供希望者１４０ａの入力作業を最小限まで削減し、ページに必要なアーティファクトを統合することが可能となる。なお、１回ＸＳＬＴ変換を通した後にスタイルシートを適用せずに、プロフィールに記載する情報３１９で表示形式を直接指定するとしてもよい。
【００７３】
以上のようにして、変換処理３１８で成果コンテンツが使用するアーティファクト（森の絵のアーティファクト３１２および森をイメージしたページ表示形式３１３）全てを抽出することができ、変換後の提供情報（森をイメージしたプロフィールページ３１５）には利用するアーティファクト全て（森の絵のアーティファクト３１２および森をイメージしたページ表示形式３１３）が搭載される。情報提供希望者１４０ａが利用しているアーティファクトへのリンクは提供情報保管場所１１２に保存される。従って、コンテンツ統合提供サーバ１１０は、情報提供希望者１４０ａが利用したアーティファクトの検索処理を容易に実現できる。アーティファクト利用状況保管場所１１５は、その検索結果を保存する。
【００７４】
ここで情報取得者端末１２０が、情報提供希望者１４０ａのページ（森をイメージしたプロフィールページ３１５）を参照すると、森をイメージしたプロフィールページ３１５と、そこでリンクしている森の絵のアーティファクト３１２、および森をイメージしたページ表示形式３１３が利用され（矢印３５０、３５１、３５２）、情報取得者端末１２０は、自端末に設けられている画面上に情報提供希望者１４０ａが望む魅力的コンテンツ（成果コンテンツ３５３）を表示する。
【００７５】
図４は、本発明の一実施形態におけるアーティファクト利用料金の支払い処理を示す図である。以下、図４を用いて、本実施形態におけるコンテンツ統合提供システムを用いた情報提供希望者１４０ａからアーティファクト作成者１５０ａへのアーティファクト料金の支払い処理について説明する。
【００７６】
アーティファクト利用状況保管場所１１５には、アーティファクトの利用状況を示す利用状況情報４２１が格納されている。利用状況情報４２１には、アーティファクトごとに、そのアーティファクトを現在の利用者、その利用期間、およびその利用料金の支払いの有無などの情報が含まれる。
【００７７】
コンテンツ統合提供サーバ１１０は、アーティファクト利用状況保管場所１１５から、利用者の利用状況情報４２１を取り出し、料金支払いが未完了のもののみ、抽出する。
【００７８】
アーティファクト利用条件保管場所１１３には、各アーティファクトの利用条件を示す利用条件情報４１２が格納されている。
【００７９】
次に、コンテンツ統合提供サーバ１１０は、アーティファクト利用条件保管場所１１３から、該当するアーティファクトを利用する際に要求される料金の情報を取り出し、アーティファクトを利用する情報提供希望者１４０ａがアーティファクト作成者１５０ａに支払う料金を算出する。このようにして、情報提供希望者１４０ａが支払わなければならない全ての料金を導出する。
【００８０】
その後、コンテンツ統合提供サーバ１１０は、上記の導出した支払い料金が記述された情報（支払い台帳）を情報提供希望者ごとに作成する（支払い台帳起票４３１）。
【００８１】
コンテンツ統合提供サーバ１１０は、作成した支払い台帳をシステム運営・管理者端末１００に送信し、情報提供希望者１４０ａが支払う料金をシステム運営・管理者１００ａに通知する。
【００８２】
また、コンテンツ統合提供サーバ１１０は、作成した支払い台帳を信販会社などに送信し、アーティファクトの利用料金の徴収を信販会社等に依頼する（信販会社へ者来依頼４３２）。なお、このための通信技術については、公知技術により実現されるものとし、省略する。
【００８３】
また、アーティファクトの利用条件が料金支払いではなく、そのコンテンツを使用した際の感想を記述する場合には、コンテンツ統合提供サーバ１１０は、情報提供希望者端末１４０にその感想報告依頼４３４をｅ−ｍａｉｌなどで送信する。以上の処理を、全ての情報提供希望者について実施する。
【００８４】
図５は、本発明の一実施形態におけるコンテンツ統合提供システムによるアーティファクトの不正利用を示す図である。以下、図５を用いて、本実施形態におけるコンテンツ統合提供システムによるアーティファクトの不正利用を防止する処理について説明する。
【００８５】
以下、本実施形態におけるコンテンツ統合提供システムにおけるアーティファクトの不正利用について説明する。
【００８６】
まず、情報提供希望者１４０ａは情報取得者となり、情報提供希望者端末１４０は、アーティファクトの成果コンテンツ５５１を取得し、その後、成果コンテンツ５５１を自身の提供希望情報保管場所１１６に保存する。
【００８７】
次に、情報提供希望者１４０ａ自身もアーティファクト作成者の権限を保有し、アーティファクトである変換書式として「何も変換しない」という形式（一切の変換を行わない変換形式５４１）を変換形式保管場所１１４に保管する。
【００８８】
情報提供希望者１４０ａは、一切の変換を行わない変換形式５４１を利用して、アーティファクトのコピーを提供情報保管場所１１２に配置すると、システム上は情報提供希望者１４０ａがアーティファクトを利用していることにはならず、本来科せられるべきアーティファクト利用料金の負担を支払わずにアーティファクトを利用できる。
【００８９】
本実施形態では、コンテンツ統合提供システムは、上記のようなアーティファクトの不正利用を防止するために、以下のような処理を行う。
【００９０】
コンテンツ統合提供サーバ１１０は、アーティファクトの不正利用を発見するために、一定期間毎に提供情報保管場所１１２、アーティファクト保管場所１１１、および変換形式保管場所１１４にアーティファクトと似たデータがあるかどうかを検索（類似物検索機構５３０）する。この時、コンテンツ統合提供サーバ１１０は、類似のデータがあれば、その類似データが発見された旨の情報をシステム運営・管理者端末１００に送信し、システム運営・管理者１００ａに通知する（不正コピー疑惑の通知５００）。
【００９１】
あるいは、上記のように一定期間毎ではなく、コンテンツ統合提供サーバ１１０は、アーティファクトの登録ごと、または提供希望情報の登録ごとに、提供希望情報保管場所１１６、アーティファクト保管場所１１１、および変換形式保管場所１１４に、登録された情報と類似の情報がないかを検索してもよい。
【００９２】
なお、本実施形態におけるコンテンツ統合提供システムの応用として、日記のような個人の自己管理を補助するシステム、業務実績報告の作成を補助するシステム、およびコンピュータの操作履歴とその操作目的の報告書作成を補助するシステムなどを構築してもよい。
【００９３】
以上説明したように、本実施形態によれば、コンテンツ統合提供サーバ１１０は、公開可能なコンテンツ部品（アーティファクト）を内部に保持し、情報提供希望者１４０ａの作成要求に応じて、アーティファクトを利用した成果コンテンツを作成する。コンテンツ統合提供サーバ１１０に保存されたコンテンツ部品（アーティファクト）を直接コピーすることは禁止される。提供情報２１４には関連情報（提供情報２１４にどのアーティファクトが利用されるかを示す情報）が記述されている。コンテンツ統合提供サーバ１１０は、情報取得者端末１２０から公開情報の取得要求を受信すると、関連情報に基づいてはじめて提供情報２１４とアーティファクトとを連繋して情報取得者端末１２０に送信する。これによって、情報提供希望者１４０ａは、コンテンツ部品を作成する能力がなくても、Ｗｅｂページなどの情報を容易に作成することが可能となる。また、アーティファクトは共用であるため、情報を参照する者（情報取得者１２０ａなど）にとっては、データのキャッシュ機構が有効に働き、データ取得処理を高速化させることが可能となる。
【００９４】
また、本実施形態によれば、コンテンツ統合提供サーバ１１０は、情報提供希望者１４０ａが記載する提供希望情報２１９を直接公開せず、一旦非公開の場所（提供希望情報保管場所１１６）に保存する。提供希望情報２１９は、そのデータの書式は、自由度の高い一般に公開されるデータ形式ではなく自由度を狭めた形式とし、公開を希望する純粋な情報のみを含む。コンテンツ統合提供サーバ１１０は、提供希望情報２１９を一般に提供可能な自由度の高い形式の情報（提供情報２１４）に変換する機能を持つ。従って、情報構築力の低い情報提供希望者１４０ａでも、公開コンテンツ部品を記述することができ、またそのときに誤った文法で記述する可能性が少なくし、また、利用者がコンテンツ内から参照する書式情報を抽出し易くすることが可能となる。
【００９５】
また、本実施形態によれば、コンテンツ統合提供サーバ１１０は、自サーバが保持する書式変換処理部（変換プログラム２１７）と複数の変換手順を記述したデータ（変換形式記述文書）とを用いて、提供希望情報２１９の変換を行う。情報提供希望者１４０ａは、提供希望情報２１９の変換の際、サーバ側が保持する複数の変換形式記述文書の中から、任意の変換形式記述文書２１５を選択する。コンテンツ統合提供サーバ１１０は、情報提供希望者端末１４０から公開を希望する情報（提供希望情報２１９）だけでなく、採用したい変換手順も受け取る。コンテンツ統合提供サーバ１１０は、情報提供希望者１４０ａから指示された変換手順で、提供希望情報２１９を一般に流通する情報公開形式の提供情報２１４に変換する。従って、情報提供希望者１４０ａは、コンテンツ統合提供サーバ１１０が保有する書式の中から任意の物を選択できるようになり、幅広い情報提供希望者１４０ａのニーズに応えることが可能となる。
【００９６】
また、本実施形態によれば、コンテンツ統合提供サーバ１１０のコンテンツ変換時に、単純な変換だけでなく、さらにコンテンツ部品（アーティファクト）の中でどの部品を使用しているかを示す情報を抽出し、保存する。従って、このデータを集計することで、コンテンツ部品（アーティファクト）の価値を推し量ることができ、また情報提供希望者１４０ａが望む情報の嗜好を抽出することが可能となる。
【００９７】
また、本実施形態によれば、コンテンツ統合提供サーバ１１０でコンテンツ部品（アーティファクト）を外部から受け入れ可能にし、それを既存のコンテンツ部品と同じように情報提供希望者１４０ａが利用できるようにする。従って、本来関連を持たない、情報提供希望者１４０ａと、コンテンツ部品作成者（アーティファクト作成者１５０ａ）の間を本システムが取り持ち、コンテンツ部品が効率的に利用できるようになる。
【００９８】
また、本実施形態によれば、コンテンツ統合提供サーバ１１０における変換手法は、コンテンツデザインと密接な関連を持つ。従って、アーティファクト作成者１５０ａに、コンテンツ変換形式文書（変換形式記述文書２１５）の新規作成とコンテンツ統合提供サーバ１１０への追加を許す。これによって、新たに追加されるアーティファクトと連携して、効果的なコンテンツを構築する、コンテンツ変換形式文書が構築でき、情報提供希望者１４０ａは容易にコンテンツを構築することが可能となる。
【００９９】
また、本実施形態によれば、コンテンツ統合提供サーバ１１０がアーティファクト作成者端末１５０からコンテンツまたはデータ変換情報などのアーティファクト２１２を受信する際に、そのコンテンツの利用制限や、利用時に情報提供希望者に一定の利用料金を負担する旨の情報も同時に受け取る。この情報をコンテンツ統合提供サーバ１１０が保有し、コンテンツ部品（アーティファクト）の利用状況を集計する機構から得た情報と組み合わせて、情報提供希望者１４０ａが支払うべき利用料金を算出し、その支払いを情報提供希望者１４０ａに請求する。従って、コンテンツ部品の利用権取引がシステム上で実現でき、アーティファクト作成者１５０ａおよび情報提供希望者１４０ａの双方に利益となる取引環境を提供することが可能となる。
【０１００】
また、本実施形態によれば、コンテンツ統合提供サーバ１１０は、一定時間毎に既存の全てのコンテンツを検索するか、またはコンテンツ登録時に各登録対象コンテンツと既存のコンテンツとの間に類似のものがあるかどうかを検索する。従って、コンテンツ部品のコピーと思しきコンテンツを発見することができ、さらにそれをシステム運営・管理者１００ａに通知することで、不正の早期発見と対応を可能にする。
【０１０１】
上記の処理は、コンテンツ統合提供サーバ１１０、システム運営・管理者端末１００、情報取得者端末１２０、情報提供希望者端末１４０、またはアーティファクト作成者端末１５０が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１０２】
なお、上記の実施形態は本発明の好適な実施の一例であり、本発明の実施形態は、これに限定されるものではなく、本発明の要旨を逸脱しない範囲において種々変形して実施することが可能となる。
【０１０３】
【発明の効果】
以上説明したように、本発明によれば、コンテンツ統合提供サーバは、公開可能なコンテンツ部品を内部に保持し、情報提供者の作成要求に応じて、コンテンツ部品を利用したコンテンツを作成する。コンテンツ統合提供サーバに保存されたコンテンツ部品を直接コピーすることは禁止される。提供情報には関連情報（提供情報にどのコンテンツ部品が利用されるかを示す情報）が記述されている。コンテンツ統合提供サーバは、情報取得者端末装置から公開情報の取得要求を受信すると、関連情報に基づいてはじめて提供情報とコンテンツ部品とを連繋して情報取得者端末装置に送信する。これによって、情報提供者は、コンテンツ部品を作成する能力がなくても、Ｗｅｂページなどの情報を容易に作成することが可能となる。また、コンテンツ部品は共用であるため、情報を参照する者（情報取得者など）にとっては、データのキャッシュ機構が有効に働き、データ取得処理を高速化させることが可能となる。
【０１０４】
また、本発明によれば、コンテンツ統合提供サーバは、情報提供者が記載する提供希望情報を直接公開せず、一旦非公開の場所（提供希望情報保管場所）に保存する。提供希望情報は、そのデータの書式は、自由度の高い一般に公開されるデータ形式ではなく自由度を狭めた形式とし、公開を希望する純粋な情報のみを含む。コンテンツ統合提供サーバは、提供希望情報を一般に提供可能な自由度の高い形式の情報（提供情報）に変換する機能を持つ。従って、情報構築力の低い情報提供者でも、公開コンテンツ部品を記述することができ、またそのときに誤った文法で記述する可能性が少なくし、また、利用者がコンテンツ内から参照する書式情報を抽出し易くすることが可能となる。
【０１０５】
また、本発明によれば、コンテンツ統合提供サーバは、自サーバが保持する書式変換処理部（変換プログラム）と複数の変換手順を記述したデータ（変換形式情報）とを用いて、提供希望情報の変換を行う。情報提供者は、提供希望情報の変換の際、サーバ側が保持する複数の変換形式情報の中から、任意の変換形式情報を選択する。コンテンツ統合提供サーバは、情報提供者端末装置から公開を希望する情報（提供希望情報）だけでなく、採用したい変換手順も受け取る。コンテンツ統合提供サーバは、情報提供者から指示された変換手順で、提供希望情報を一般に流通する情報公開形式の提供情報に変換する。従って、情報提供者は、コンテンツ統合提供サーバが保有する書式の中から任意の物を選択できるようになり、幅広い情報提供者のニーズに応えることが可能となる。
【０１０６】
また、本発明によれば、コンテンツ統合提供サーバのコンテンツ変換時に、単純な変換だけでなく、さらにコンテンツ部品の中でどの部品を使用しているかを示す情報を抽出し、保存する。従って、このデータを集計することで、コンテンツ部品の価値を推し量ることができ、また情報提供者が望む情報の嗜好を抽出することが可能となる。
【０１０７】
また、本発明によれば、コンテンツ統合提供サーバでコンテンツ部品を外部から受け入れ可能にし、それを既存のコンテンツ部品と同じように情報提供者が利用できるようにする。従って、本来関連を持たない、情報提供者と、コンテンツ部品作成者の間を本システムが取り持ち、コンテンツ部品が効率的に利用できるようになる。
【０１０８】
また、本発明によれば、コンテンツ統合提供サーバにおける変換手法は、コンテンツデザインと密接な関連を持つ。従って、コンテンツ部品作成者に、変換形式情報の新規作成とコンテンツ統合提供サーバへの追加を許す。これによって、新たに追加されるコンテンツ部品と連携して、効果的なコンテンツを構築する、変換形式情報が構築でき、情報提供者は容易にコンテンツを構築することが可能となる。
【０１０９】
また、本発明によれば、コンテンツ統合提供サーバがコンテンツ部品作成者端末装置からコンテンツまたは変換形式情報などのコンテンツ部品を受信する際に、そのコンテンツの利用制限や、利用時に情報提供者に一定の利用料金を負担する旨の情報も同時に受け取る。この情報をコンテンツ統合提供サーバが保有し、コンテンツ部品の利用状況を集計する機構から得た情報と組み合わせて、情報提供者が支払うべき利用料金を算出し、その支払いを情報提供者に請求する。従って、コンテンツ部品の利用権取引がシステム上で実現でき、コンテンツ部品作成者および情報提供者の双方に利益となる取引環境を提供することが可能となる。
【０１１０】
また、本発明によれば、コンテンツ統合提供サーバは、一定時間毎に既存の全てのコンテンツを検索するか、またはコンテンツ登録時に各登録対象コンテンツと既存のコンテンツとの間に類似のものがあるかどうかを検索する。従って、コンテンツ部品のコピーと思しきコンテンツを発見することができ、さらにそれをシステム運営・管理者に通知することで、不正の早期発見と対応を可能にする。
【図面の簡単な説明】
【図１】本発明の一実施形態におけるコンテンツ統合提供システムの構成を示す図である。
【図２】本発明の一実施形態におけるコンテンツ統合提供システムによるＷｅｂコンテンツ提供処理を示す図である。
【図３】本発明の一実施形態におけるコンテンツ統合提供システムによるアーティファクトの料金支払い処理を示す図である。
【図４】本発明の一実施形態におけるアーティファクト利用料金の支払い処理を示す図である。
【図５】本発明の一実施形態におけるコンテンツ統合提供システムによるアーティファクトの不正利用を示す図である。
【符号の説明】
１００　システム運営・管理者端末
１００ａ　システム運営・管理者
１１０　コンテンツ統合提供サーバ
１１１　アーティファクト保管場所
１１２　提供情報保管場所
１１３　アーティファクト利用条件保管場所
１１４　変換形式保管場所
１１５　アーティファクト利用状況保管場所
１１６　提供希望情報保管場所
１１７　利用者情報保管場所
１２０　情報取得者端末
１２０ａ　情報取得者
１３０　インターネット
１４０　情報提供希望者端末
１４０ａ　情報提供希望者
１５０　アーティファクト作成者端末
１５０ａ　アーティファクト作成者
２１２　アーティファクト
２１４　提供情報
２１５　変換形式記述文書
２１７　変換プログラム
２１９　提供希望情報
２２２、２２３、２３１、２３２、２５０、３５０、３５１、３５２　矢印
２５２　破線枠
３１２、５２２　森の絵のアーティファクト
３１３、５２３　森をイメージしたページ表示形式
３１５　森をイメージしたプロフィールページ
３１７　森をイメージしたプロフィール変換形式
３１８、５４２　変換処理
３１９　プロフィールに記載する情報
３５３、５５１　成果コンテンツ
４１２　利用条件情報
４２１　利用状況情報
４３０　コスト支払い請求処理
４３１　支払い台帳起票
４３２　信販会社へ支払い依頼
４３４　感想報告依頼
５００　不正コピー疑惑の通知
５３０　類似物検索機構
５４１　一切の変換を行わない変換形式
【図１】
2004102839.tif 000003
【図２】
2004102839.tif 000004
【図３】
2004102839.tif 000005
【図４】
2004102839.tif 000006
【図５】
2004102839.tif 000007